(57)【特許請求の範囲】
【請求項１】
遊技球を受け入れない第１状態と遊技球を受け入れ可能な第２状態とに変更する開閉部材１１ａ、１１ｂと、該開閉部材１１ａ、１１ｂが受け入れた遊技球を下方向へ誘導する第１球流路１５と、その第１球流路１５の後部に配した遊技球を検出するための検出スイッチ１６と、遊技球を左右に分別する第２球流路２９とを設けるとともに、前記第１球流路１５と第２球流路２９とによって中央入賞装置本体１０の前面中央部に誘導された遊技球を、螺旋状の第３球流路２１ａ、２１ｂ、２１ｃを有して縦軸で回転する回転部材２０を駆動モーター２４により駆動し当該螺旋状の第３球流路２１ａ、２１ｂ、２１ｃにより自重落下作用に抗して揚送して補足溝１８を上昇させる構成とする一方、前記第１球流路１５と第２球流路２９とによって誘導された遊技球を、螺旋状の第３球流路２１ａ、２１ｂ、２１ｃの一を特賞とならない遊技球を排出する排出口２２に連通して排出口３３に至らせる経路と、螺旋状の第３球流路２１ａ、２１ｂ、２１ｃの他の一を特賞となる遊技球を排出する特賞遊技球排出口２３に連通して排出口３４に至らせる経路とにより分別する分別部材３２と、前記回転部材２０を円滑に回転させる複数の鋼球の配列が設けられた配列取付部材２８と、特賞ではない通常時または特賞になった場合に特賞権利中の所定回数及び遊技球入賞の個数等のメッセージを表示する表示板９とを中央入賞装置本体１０の前面下部に設けたことを特徴とするパチンコ機の中央入賞装置。
【発明の詳細な説明】
【０００１】
【産業上の利用分野】
本発明は、駆動モーターにより縦軸に回転する螺旋状の回転部材を有するパチンコ機の中央入賞装置に関するものである。
【０００２】
（従来の技術）
従来、パチンコ機の中央入賞装置としては、遊技球を入れ難い状態と入り易い状態に変換することができる可動片を対設し、該可動片が受け入れた遊技球を分別して入賞させる一般入賞口と特賞入賞口とを設け、分別された遊技球が特賞入賞口に入った場合には前記可動片をあらかじめ定める時間や回数に規制して遊技球が入り易い状態に継続させる特賞遊技状態を遊技者に与えるものが知られている。
【０００３】
【発明が解決しようとする課題】
ところで、従来の入賞装置は長年に亘って使用され面白さが失われつつあり、人気の低下を招いている。また、特別入賞口が固定的に設けられているために変化が少なく、遊技者にパチンコ遊技の興趣を十分に与えるに至っていないという問題点があった。それゆえに、本発明の目的は遊技者の興味を引き、かつパチンコ遊技の興趣を大いに高めるのに役立つ新規なパチンコ機の中央入賞装置を提供することであり、かかる従来構成の問題点を解決することを目的とするものである。
【０００４】
【課題を解決するための手段】
本発明は、遊技球を受け入れない第１状態と遊技球を受け入れ可能な第２状態とに変換する開閉部材１１ａ、１１ｂと、該開閉部材１１ａ、１１ｂが受け入れた遊技球を下方向へ誘導する第１球流路１５と、その第１球流路１５の後部に配した遊技球を検出するための検出スイッチ１６と、遊技球を左右に分別する第２球流路２９とを設けるとともに、
【０００５】
前記第１球流路１５と第２球流路２９とによって中央入賞装置本体１０の前面中央部に誘導された遊技球を、螺旋状の第３球流路２１ａ、２１ｂ、２１ｃを有して縦軸で回転する回転部材２０を駆動モーター２４により駆動し当該螺旋状の第３球流路２１ａ、２１ｂ、２１ｃにより自重落下作用に抗して揚送して補足溝１８を上昇させる構成とする一方、前記第１球流路１５と第２球流路２９とによって誘導された遊技球を、螺旋状の第３球流路２１ａ、２１ｂ、２１ｃの一を特賞とならない遊技球を排出する排出口２２に連通して排出口３３に至らせる経路と、螺旋状の第３球流路２１ａ、２１ｂ、２１ｃの他の一を特賞となる遊技球を排出する特賞遊技球排出口２３に連通して排出口３４に至らせる経路とにより分別する分別部材３２と、前記回転部材２０を円滑に回転させる複数の鋼球の配列が設けられた配列取付部材２８と、特賞ではない通常時または特賞になった場合に特賞権利中の所定回数及び遊技球入賞の個数等のメッセージを表示する表示板９とを中央入賞装置本体１０の前面下部に設けたことを特徴とするパチンコ機の中央入賞装置である。
【０００６】
【作用】
開閉部材で受け入れられた遊技球は、第１球流路を通り、検出スイッチを通過した後、遊技球を左右に分別する傾斜のある第２球流路２９を通り当該中央入賞装置の中央部前面に誘導されてくる。中央入賞装置の中央部には鉛直な縦軸で回転する回転部材があり、その回転部材には遊技球の入口が設けられている。遊技球は、揚送されて上昇するため収容される螺旋状の３つの第３球流路が回転して到来するまで該入口において一旦待機される。前記回転部材には螺旋状の３つの第３球流路が形成されている。第３球流路の少なくとも１つが特賞となる遊技球が通過する特賞球流路となり特賞遊技球排出口に連通されている。他の第３球流路には特賞にならない遊技球を排出する排出口が連通されている。
【０００７】
前記の縦軸に回転する螺旋状の回転部材は、駆動モーターにより時計回りで回転する。該回転部材の入口で待機していた遊技球は回転部材に誘入された、その遊技球は、回転部材の入口より螺旋状の第３球流路による回転部材の回転動作に揚送されて上昇する。特賞球にならない遊技球は、回転部材の壁面に形成された排出口に向かい第３球流路を介し導出される。特賞となる遊技球は、第３球流路により回転部材の最上部まで揚送されて上昇する。特賞となる遊技球は、回転部材の上端面に透設された特賞遊技球排出口に誘導される。
【０００８】
駆動モーターにより鉛直な縦軸に回転している回転部材には、回転部材を円滑に回転させるためのベアリングの機能を有す複数の鋼球が配列されている（以降ベアリングと称する）。ベアリングの上部には回転部材が設置されている。回転部材とベアリングとの下部には、特賞となる遊技球と特賞にならない遊技球とを分別して検出させる分別部材を構成する排出口が設けられる。また中央入賞装置の前面下部には、特賞となる遊技球が成立した場合に遊技者に付与された特賞権利の内容となる開閉部材の所定回数の開閉動作、及び開閉部材への遊技球入賞の個数等のメッセージを表示する表示板が設けられている。本発明の構成によって、従来のパチンコ機の中央入賞装置においては遊技球の自重により当該入賞装置の下方向に該遊技球を誘導することにより趣向感を生み出すものが一般的であった。本発明は、特賞となる遊技球を遊技球の自重に反して揚送し、上方向に誘導させて遊技者の興味を引きかつパチンコ遊技の興趣を大いに高めるのに役立つ新規なパチンコ機の中央入賞装置を提供する。
【０００９】
【実施例】
以下に、本発明の一実施例を図面に基づいて説明する。図１は、本発明の一実施例の中央入賞装置５を装着したパチンコ機の正面図である。パチンコ機１の遊技盤２には入賞装置（通称チューリップ）３と始動入賞４ａ、４ｂ、４ｃとが設けられると共に、遊技盤２のほぼ中央部にはこの発明の一実施例となる中央入賞装置５が装着される。
【００１０】
図２、図３は、当該中央入賞装置５の前面部に嵌合される部品を図示していて、該部品の嵌合された中央入賞装置５は遊技盤２に装着される。中央入賞装置５には上部前飾り６と下部前飾り７とが嵌合される。上部前飾り６の中央部の上部には遊技球が入賞するための入賞溝８を設けられている。下部前飾り７の下部には、特賞となる遊技球が成立した場合に遊技者に付与される特賞権利の内容となる開閉部材１１ａ、１１ｂの所定回数の開閉動作、及び開閉部材１１ａ，１１ｂへの遊技球入賞の個数等のメッセージを表示する表示板９が設けられている。図４は、本発明の中央入賞装置５の遊技盤２への取り付け基体となり各部品が組付けられる中央入賞装置本体１０である。該中央入賞装置本体１０の上部には前記の入賞溝８に連通されて遊技球を誘導する入賞球通路が設けられている。図５は、遊技球を受け入れない第１状態と遊技球を受け入れ可能な第２状態とに変換する開閉部材１１ａ、１１ｂを示す。開閉部材１１ａ、１１ｂの後部背面には開閉部材１１ａ、１１ｂを作動させるためのソレノイド１２が設けられる。開閉部材１１ａ、１１ｂとソレノイド１２との間には開閉部材１１ａ、１１ｂとソレノイド１２とを連繋させる作動部品１４ａ、１４ｂが介在されていてソレノイド１２が励磁されることにより開閉部材１１ａ、１１ｂを遊技球の受け入れ可能に拡開する。図６は、前記の開閉部材１１ａ、１１ｂが受け入れて入賞した遊技球を後方に誘導するための第１球流路１５と、該第１球流路１５に導き入れられた遊技球を第１球流路１５の後部端で検出する検出スイッチ１６とを示す斜視図である。
【００１１】
図７は、中央入賞装置本体１０内に回転部材２０を嵌入して図９で図示するように組付けられる透明カバー１７の斜視図である。透明カバー１７には、遊技球を、左右に移動させないように把持して螺旋状の第３球流路２１ａ、２１ｂ、２１ｃの回転動作により揚送して上昇させる溝１８が設けられる。該溝１８に連通し透明カバー１７下端に形成される入口１９において、遊技球は回転部材２０に形成された螺旋状の第３球流路２１ａ、２１ｂ、２１ｃによる揚送作用を待機する構造となっている。図８は、本発明の中央入賞装置５のほぼ中央部に嵌合される回転部材２０の斜視図である。該回転部材２０は駆動モーター２４の駆動力を得て時計回りに回転する筒状に構成されている。該筒状の回転部材２０には３つの螺旋状の第３球流路２１ａ、２１ｂ、２１ｃが形成されている。前記透明カバー１７に形成された入口１９で待機された遊技球は、当該螺旋状の第３球流路２１ａ、２１ｂ、２１ｃと溝１８とにより把持され、駆動モーター２４による回転部材２０の回転動作により揚送されて上昇する。当該螺旋状の第３球流路２１ａ、２１ｂ、２１ｃのうち少なくとも１つが特賞となる遊技球を導く特賞螺旋状流路と定められている。他の螺旋状の球流路２１ａ、２１ｂ、２１ｃは、特賞球にならない遊技球を排出する排出口２２に連通され、特賞にならない遊技球は排出口２２から排出される。特賞螺旋状球流路と定められた螺旋状の球流路２１ａ、２１ｂ、２１ｃを上昇する遊技球は、回転部材２０の上部端まで誘導された後、回転部材２０に透設された特賞遊技球排出口２３に流入される。図９は、図７および図８で図示した透明カバー１７と回転部材２０とを組付けしたときの斜視図である。
【００１２】
図１０は、前記螺旋状の第３球流路２１ａ、２１ｂ、２１ｃを有する回転部材２０を駆動モーター２４により鉛直な縦軸で回転させる場合において、該回転部材２０に駆動モーター２４からの回転運動を連繋して伝達する歯車２５、歯車２６と、該駆動モーター２４とを取り付ける基体となる配列取付基板２８の構成を分解した斜視図である。なお、配列取付基板２８には、図示するように回転部材２０を容易に円滑な回転とするためにベアリングの役目をする複数の鋼球２７が配列されている。図１１は、該複数の鋼球２７と駆動モーター２４と歯車２５、２６とを配列取付部材２８に組付けた組立斜視図となっている。
【００１３】
図１２は、当該中央入賞装置５の上部に配列され開閉部材１１ａ、１１ｂより入賞した遊技球を傾斜面で誘導する傾斜のある第二球流路２９と、第二球流路で誘導した遊技球を順次整列する溝３０とを有して中央入賞装置本体１０に外嵌される固定取付部材３１の斜視図である。開閉部材１１ａ、１１ｂより入賞した遊技球は第１球流路１５と検出スイッチ６とを通過した後、傾斜のある第２球流路２９に誘導されてくる。固定取付部材３１の内側には前記透明カバー１７が配置され固定取付部材３１と透明カバー１７との間隙で遊技球が誘導される。第２球流路２９により誘導された遊技球は中央入賞装置本体１０の中央部前面に誘導される。中央入賞装置本体１０の中央部前面に誘導された遊技球は入口１９で待機する。入口１９で待機した遊技球は螺旋状の第３球流路２１ａ、２１ｂ、２１ｃに流入される。即ち、溝３０で順次整列され入口１９で待機していた遊技球は、螺旋状の第３球流路２１ａ、２１ｂ、２１ｃが回転して揚送動作をするまで入口１９で一旦待機する。図１３は、図９で図示する透明カバー１７と既述の回転部材２０と、図１１で図示した駆動モーター２４と歯車２５，２６と鋼球の配列と組付けた配列取付部材２８と、前記図１２で図示する固定取付部材３１との各々の構成部品を取り付けた組立斜視図である。
【００１４】
図１４は、前記の配列取付部材２８に外嵌される分別部材３２である。該分別部材３２は、回転部材２０と透明カバー１７と配列取付部材２８とが遊嵌された中央入賞装置本体１０の上部より誘導され落下する特賞若しくは特賞にならない遊技球を分別して排出する。分別部材３２には特賞となる遊技球を排出する排出口３３と、特賞にならない遊技球を排出する排出口３４が開口されている。図１５は、当該中央入賞装置５を構成する各部品、即ち開閉部材１１ａ、１１ｂと回転部材２０と透明カバー１７と固定取付部材３１と配列取付部材２８と分別部材３２とを組付けた図４におけるＡ−Ａの断面図である。
【００１５】
かかる構造にあって、当該中央入賞装置５に入賞した遊技球は、第１球流路１５と、検出スイッチ１６と、第２球流路２９とを通り中央入賞装置本体１０の中央部前面に誘導され、さらに回転部材２０の入口１９より螺旋状の第３球流路２１ａ、２１ｂ、２１ｃと透明カバー１７に形成された溝１８とを介して揚送され当該中央入賞装置本体１０内を遊技球の自重に抗して上昇し、回転部材２０の排出口２２より特賞球とならない遊技球が排出され、特賞球となる遊技球は特賞遊技球排出口２３に誘導される。当該中央入賞装置に入賞した遊技球は、分別部材３２の排出口３３と排出口３４とに振り分けられて分別される。
遊技球を受け入れない第１状態と遊技球を受け入れ可能な第２状態とに変換する開閉部材１１ａ、１１ｂと、該開閉部材１１ａ、１１ｂが受け入れた遊技球を下方向へ誘導する第１球流路１５と、第１球流路１５の後部に配した遊技球を検出するための検出スイッチ１６と、遊技球を左右に分別する第２球流路２９とを設けるとともに、前記第１球流路１５と第２球流路２９とによって中央入賞装置本体１０の前面中央部に誘導された遊技球を、螺旋状の第３球流路２１ａ、２１ｂ、２１ｃを有して縦軸で回転する回転部材２０を駆動モーター２４により駆動し当該螺旋状の第３球流路２１ａ、２１ｂ、２１ｃにより自重落下作用に抗して揚送して補足溝１８を上昇させる構成とする一方、前記第１球流路１５と第２球流路２９とによって誘導された遊技球を、螺旋状の第３球流路２１ａ、２１ｂ、２１ｃの一を特賞とならない遊技球を排出する排出口２２に連通して排出口３３至らせる経路と、螺旋状の第３球流路２１ａ、２１ｂ、２１ｃの他の一を特賞となる遊技球を排出する特賞遊技球排出口２３に連通して排出口３４に至らせる経路とにより分別する分別部材３２と、前記回転部材２０を円滑に回転させる複数の鋼球の配列が設けられた配列取付部材２８と、特賞ではない通常時または特賞になった場合に特賞権利中の所定回数及び遊技球入賞の個数等のメッセージを表示する表示板９とを中央入賞装置本体１０の前面下部に設けたことを特徴とするパチンコ機の中央入賞装置が実施例に記載した発明の要旨であり、遊技者はこの中央入賞装置５内で遊技球が自重に反して上昇する構造に興味を懐き、パチンコ遊技の興趣は大いに高められる。遊技者は遊技球が上昇する構造により特賞となれば遊技者には多大の利益が付与される。
【００１６】
【本発明の効果】
本発明は、遊技球を受け入れない第１状態と遊技球を受け入れ可能な第２状態とに変換する開閉部材１１ａ、１１ｂと、該開閉部材１１ａ、１１ｂが受け入れた遊技球を下方向へ誘導する第１球流路１５と、その第１球流路１５の後部に配した遊技球を検出するための検出スイッチ１６と、遊技球を左右に分別する第２球流路２９とを設けるとともに、前記第１球流路１５と第２球流路２９とによって中央入賞装置本体１０の前面中央部に誘導された遊技球を、螺旋状の第３球流路２１ａ、２１ｂ、２１ｃを有して縦軸で回転する回転部材２０を駆動モーター２４により駆動し当該螺旋状の第３球流路２１ａ、２１ｂ、２１ｃにより自重落下作用に抗して揚送して補足溝１８を上昇させる構成とする一方、前記第１球流路１５と第２球流路２９とによって誘導された遊技球を、螺旋状の第３球流路２１ａ、２１ｂ、２１ｃの一を特賞とならない遊技球を排出する排出口２２に連通して排出口３３に至らせる経路と、螺旋状の第３球流路２１ａ、２１ｂ、２１ｃの他の一を特賞となる遊技球を排出する特賞遊技球排出口２３に連通して排出口３４に至らせる経路とにより分別する分別部材３２と、前記回転部材２０を円滑に回転させる複数の鋼球の配列が設けられた配列取付部材２８と、特賞ではない通常時または特賞になった場合に特賞権利中の所定回数及び遊技球入賞の個数等のメッセージを表示する表示板９とを中央入賞装置本体１０の前面下部に設けたことを特徴とするパチンコ機の中央入賞装置であり、本発明によれば、遊技者が当該中央入賞装置５内に落入した遊技球が中央入賞装置５内で螺旋状の球流路を回転して回転部材で自重に抗して揚送して上昇させると同時に振り分けられる構造に興味をいだきパチンコ遊技に斬新な趣向が与えられる。遊技球が上昇する構造により特賞が得られれば遊技者には多大の利益が付与され、趣向感の拡大とともに遊技者へのサービス向上を計ることができ、著しく遊技者に与える興趣を増すことができる効果を生じる。また磁性を用いて遊技球を吸着し、入賞装置の上方へ持ち上げる構造では無いので、遊技球に生じる残留磁気によりパチンコ遊技が阻害される不具合も生じない。
【図面の簡単な説明】
【図１】  本発明に係る中央入賞装置５の装着位置を示す正面図である。
【図２】  本発明に係る中央入賞装置５の上部前飾り６の斜視図である。
【図３】  本発明に係る中央入賞装置５の下部前飾り７の斜視図である。
【図４】  本発明に係る中央入賞装置５の中央入賞装置本体１０の斜視図である。
【図５】  本発明に係る開閉部材１１ａ、１１ｂを作動させる各々部品の斜視図である。
【図６】  本発明に関する第１球流路１５と、検出スイッチ１６との斜視図である。
【図７】  本発明に関する透明カバー１７の斜視図である。
【図８】  本発明に関する回転部材２０および螺旋状の第３球流路２１ａ、２１ｂ、２１ｃの斜視図である。
【図９】  本発明に関する透明カバー１７と回転部材２０および螺旋状の第３球流路２１ａ、２１ｂ、２１ｃに関する部品を組付けた斜視図である。
【図１０】  本発明に関する駆動モーター２４と鋼球２７と排出口２５，２６等を分解して示す斜視図である。
【図１１】  本発明に関する駆動モーター２４と鋼球２７と歯車２５，２６等各部品を組付けた斜視図である。
【図１２】  本発明に関する中央入賞装置本体１０に取り付ける固定取付部材３１の斜視図である。
【図１３】  本発明に関する回転部材２０と、螺旋状の第３球流路２１ａ、２１ｂ、２１ｃと透明カバー１７等を組付けた斜視図である。
【図１４】  本発明に関する分別部材３２の斜視図である。
【図１５】  本発明に係る中央入賞装置５を構成する各部品の組付けした図４に関するＡ−Ａ断面図である。
【符号の説明】
５    中央入賞装置
６    上部前飾り
７    下部前飾り
１０  中央入賞装置本体
１１ａ、１１ｂ  開閉部材
１５  第１球流路
１７  透明カバー
２０  回転部材
２１ａ、２１ｂ、２１ｃ  螺旋状の第３球流路
２４  駆動モーター
２５，２６  歯車
２７  鋼球
２８  配列取付部材
２９  第２球流路
３１  固定取付部材
３２  分別部材
【図１】
0003680179.tif 000002
【図２】
0003680179.tif 000003
【図３】
0003680179.tif 000004
【図４】
0003680179.tif 000005
【図５】
0003680179.tif 000006
【図６】
0003680179.tif 000007
【図７】
0003680179.tif 000008
【図８】
0003680179.tif 000009
【図９】
0003680179.tif 000010
【図１０】
0003680179.tif 000011
【図１１】
0003680179.tif 000012
【図１２】
0003680179.tif 000013
【図１３】
0003680179.tif 000014
【図１４】
0003680179.tif 000015
【図１５】
0003680179.tif 000016